(57)【要約】      （修正有）【課題】書類等の収容物を良好に保護できるとともに、使い勝手を向上できる背負い鞄を提供する。【解決手段】背負い鞄は、鞄本体１０と、背胴側蓋板２０と、前胴側蓋板３０と、係止機構４０とを備える。鞄本体１０は、背胴板１１、前胴板１２、底板１３、及び一対の側板１４と、少なくとも一つの背負ベルト１５とを有し、上端部に物品取出口が開口している。背胴側蓋板２０は、物品取出口の少なくとも一部分を閉塞可能に、背胴板１１の上端部に連設される。前胴側蓋板３０は、背胴側蓋板２０と協働し物品取出口の全体を閉塞可能に、前胴板１２の上端部に連設される。係止機構４０は、背胴側蓋板２０の外側面に配設され、物品取出口を閉塞する閉塞状態に前胴側蓋板３０を係止する。【選択図】図１
0003222347.tif 000002
【実用新案登録請求の範囲】
【請求項１】
背胴板（１１）、前胴板（１２）、底板（１３）、及び一対の側板（１４）と、少なくとも１つの背負ベルト（１５）とを有し、上端に物品取出口（１６）を有する鞄本体（１０）と、
前記物品取出口（１６）の少なくとも一部分を閉塞可能に前記背胴板（１１）の上端に連設される背胴側蓋板（２０）と、
前記背胴側蓋板（２０）と協働して前記物品取出口（１６）を閉塞可能に前記前胴板（１２）の上端に連設される前胴側蓋板（３０）と、
前記前胴側蓋板（３０）を前記背胴側蓋板（２０）に係脱可能に係止する係止機構（４０）
とを具備する背負い鞄。
【請求項２】
前記一対の側板（１４）と前記前胴板（１２）とを各々連結する一対の連結シート（５０）を更に具備し、
前記前胴板（１２）は、下端部（１２ｂ）において、前記底板（１３）に揺動可能に連設されている請求項１に記載の背負い鞄。
【請求項３】
前記一対の連結シート（５０）の少なくとも一方に、上端部（５０ａ）から下方に延びており、開閉可能であるスリット（５１）が形成されている、請求項２に記載の背負い鞄。
【請求項４】
前記背胴側蓋板（２０）の内側面（２１）に配設されており、筆記具が挿通される挿通部（６１）を有する筆記具保持部（６０）を更に備える請求項１から請求項３のいずれか１項に記載の背負い鞄。
【考案の詳細な説明】
【技術分野】
【０００１】
本考案は、背負い鞄に関し、特にビジネスバッグとして使用するのに好適な背負い鞄に関するものである。
【背景技術】
【０００２】
背負い鞄として、特許文献１には、スーツケース状の鞄本体に背負ベルトが設けられている背負い鞄が記載されている。特許文献１に記載の背負い鞄は、当該背負い鞄をビジネスバッグとして使用するとき、比較的に堅牢な鞄本体に書類を収容でき、通常のリュックサックよりも良好に重要書類等の収容物を保護できる。
【先行技術文献】
【特許文献】
【０００３】
【特許文献１】特許第６３４６７０６号公報
【考案の概要】
【考案が解決しようとする課題】
【０００４】
しかしながら、特許文献１に記載の背負い鞄においては、鞄本体がスーツケース状であり、鞄本体の開閉に、比較的に広いスペースを要する。従って、例えば、当該背負い鞄をビジネスバッグとして使用するとき、書類の取出しに比較的に広いスペースを要し、使い勝手はよくない。
【０００５】
本考案は上記課題に鑑みてなされたものであり、その目的は、書類等の収容物を良好に保護できるとともに、使い勝手を向上できる背負い鞄を提供することにある。
【課題を解決するための手段】
【０００６】
本願に開示する背負い鞄は、鞄本体（１０）と、背胴側蓋板（２０）と、前胴側蓋板（３０）と、係止機構（４０）とを具備する。前記鞄本体（１０）は、背胴板（１１）、前胴板（１２）、底板（１３）、及び一対の側板（１４）と、少なくとも１つの背負ベルト（１５）とを有し、上端に物品取出口（１６）を有する。前記背胴側蓋板（２０）は、前記物品取出口（１６）の少なくとも一部分を閉塞可能に前記背胴板（１１）の上端に連設される。前記前胴側蓋板（３０）は、前記背胴側蓋板（２０）と協働して前記物品取出口（１６）を閉塞可能に前記前胴板（１２）の上端に連設される。前記係止機構（４０）は、前記前胴側蓋板（３０）を前記背胴側蓋板（２０）に係脱可能に係止する。
【０００７】
本願に開示する背負い鞄は、一対の連結シート（５０）を更に具備する。前記一対の連結シート（５０）は、各々、前記一対の側板（１４）と前記前胴板（１２）とを連結する。そして、前記前胴板（１２）は、下端部（１２ｂ）において前記底板（１３）に揺動可能に連設されている。
【０００８】
本願に開示する背負い鞄において、前記一対の連結シート（５０）の少なくとも一方に、スリット（５１）が形成されている。前記スリット（５１）は、上端部（５０ａ）から下方に延びており、開閉可能である。
【０００９】
本願に開示する背負い鞄は、筆記具保持部（６０）を更に備える。前記筆記具保持部（６０）は、前記背胴側蓋板（２０）の内側面（２１）に配設されており、挿通部（６１）を有する。前記挿通部（６１）は、筆記具が挿通される。
【考案の効果】
【００１０】
本考案の背負い鞄によれば、書類等の収容物を良好に保護できるとともに、使い勝手を向上できる。
【図面の簡単な説明】
【００１１】
【図１】本考案の実施形態に係る背負い鞄を示す斜視図である。
【図２】開蓋状態における背負い鞄を示す斜視図である。
【図３】本考案の実施形態に係る背負い鞄の内部を示す斜視図である。
【図４】本考案の実施形態に係る背負い鞄を示す断面図である。
【考案を実施するための形態】
【００１２】
以下、本考案の実施形態に係る背負い鞄を図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１３】
〈実施形態〉
図１〜図４を参照して、本考案の実施形態に係る背負い鞄を説明する。図１は、本考案の実施形態に係る背負い鞄を示す斜視図である。図２は、開蓋状態における背負い鞄を示す斜視図である。図３は、本考案の実施形態に係る背負い鞄の内部を示す斜視図である。図４は、本考案の実施形態に係る背負い鞄を示す断面図である。
【００１４】
図１〜図３に示すように、実施形態に係る背負い鞄は、鞄本体１０と、背胴側蓋板２０と、前胴側蓋板３０と、係止機構４０とを備える。鞄本体１０は、背胴板１１、前胴板１２、底板１３、及び一対の側板１４と、少なくとも１つの背負ベルト１５とを有し、上端に物品取出口１６が開口している。また、鞄本体１０の上部には、提げ手１７が設けられている。鞄本体１０の内部には、１つの大ポケット１８と、複数の小ポケット１９とが設けられており、大ポケット１８には、書類等を収納することができ、小ポケット１９には、鍵、定期入れ等の小物を収納することができる。
【００１５】
実施形態においては、背胴板１１、前胴板１２、底板１３、及び一対の側板１４は、概略長方形状であり、背胴板１１には、２本の背負ベルト１５が連結されている。図４に示すように、背負ベルト１５の一端部は、背胴板１１の上部に設けられる連結部１５ａに連結され、背負ベルト１５の他端部は、背胴板１１の下部に設けられる他の連結部１５ｂに連結される。また、背負ベルト１５の他端部には、スイベルフック１５ｃが配設されており、背負ベルト１５の他端部は背胴板１１に係脱可能である。また、底板１３の四隅には、各々、背負い鞄を縦置きにするための底足１３ａが突設されている。
【００１６】
背胴側蓋板２０は、図１に示すように、物品取出口１６の少なくとも一部分を閉塞可能に背胴板１１の上端に連設される。図２に示すように、実施形態においては、背胴側蓋板２０は、背胴板１１の上端部を中心軸として揺動可能であり、内側面２１が一対の側板１４の上端部１４ａに当接し、物品取出口１６の一部分を閉塞する。
【００１７】
前胴側蓋板３０は、図１に示すように、背胴側蓋板２０と協働して物品取出口１６を閉塞可能に前胴板１２の上端に連設される。実施形態においては、前胴側蓋板３０は、先端側部３１と、基端側部３２を有している。先端側部３１は、背胴側蓋板２０の外側面に重ね合わされた状態で、背胴側蓋板２０に係止される。基端側部３２は、前胴板１２の上端に連結されている。先端側部３１と基端側部３２との境界には、折曲可能な第１折曲げ部３０ａが形成されている。また、基端側部３２と前胴板１２との境界には、折曲可能な第２折曲げ部３０ｂが形成されている。また、前胴板１２は、上端近傍に、折曲可能な第３折曲げ部３０ｃを有している。第３折曲げ部３０ｃにおいて、前胴板１２の上端を鞄本体１０における外部側に折り曲げることによって、物品取出口１６を更に大きく広げることができる。
【００１８】
係止機構４０は、図１、図２に示すように、前胴側蓋板３０を背胴側蓋板２０に係脱可能に係止する。実施形態においては、係止機構４０は、いわゆる横引き錠であり、前胴側蓋板３０に取付けられる係合片４１と、背胴側蓋板２０の外側面に取付けられる錠前４２と、スライド摘み４３とを含む。係合片４１は、錠前４２に係合し、錠前４２は、図示しない鍵によって、施錠及び解錠が可能である。スライド摘み４３は、横方向にスライド可能に設けられており、錠前４２が解錠されているときに、係合片４１と錠前４２との係合を解除する操作を受け付ける。
【００１９】
以上、図１〜図４を参照して説明したように、本実施形態に係る背負い鞄によれば、鞄本体１０が、背胴板１１、前胴板１２、底板１３、及び一対の側板１４を有する。従って、鞄本体１０を堅牢に形成でき、例えば本実施形態の背負い鞄をビジネスバッグとして使用するとき、通常のリュックサックと比較すると、重要書類等の収容物が原状を保つように、収容物を良好に保護できる。
【００２０】
また、本実施形態に係る背負い鞄によれば、鞄本体１０が、上端に物品取出口１６を有し、物品取出口１６が、背胴板１１の上端に連設される背胴側蓋板２０と、前胴板１２の上端に連設される前胴側蓋板３０とによって閉塞される。従って、物品取出口１６を開閉するときに広いスペースを要せず、使い勝手を向上させることができる。
【００２１】
また、前胴側蓋板３０が背胴側蓋板２０に係止されることによって、例えば、ランドセルのかぶせ蓋と比較すると、小さな回動半径で各蓋板を回動するだけで物品取出口１６を開閉することができ、例えば書類の取出しもコンパクトな動作で行うことができ、更に使い勝手を向上させることができる。
【００２２】
次に、図２を参照して、本考案の他の実施形態を説明する。本実施形態の背負い鞄は、一対の連結シート５０を更に具備する。一対の連結シート５０は、各々、一対の側板１４と前胴板１２とを連結する。実施形態においては、一対の連結シート５０は、各々、略三角形状であり、可撓性を有しており、一対の側板１４における各前端部１４ｂと、前胴板１２における各側端部１２ａとを連結する。また、前胴板１２は、下端部１２ｂにおいて、連結シート５０が撓むことにより揺動しうる状態で底板１３に連設されている。
【００２３】
以上、図２を参照して説明したように、本実施形態に係る背負い鞄によれば、前胴板１２が、下端部１２ｂにおいて、底板１３に揺動可能に連設され、前胴板１２が、一対の側板１４に一対の連結シート５０を介して連結されることによって、物品取出口１６を大きく広げることが容易である。従って、物品取出口１６を介した収容物の出し入れを容易にすることができ、更に使い勝手を向上させることができる。
【００２４】
次に、図２を参照して、本考案の更に他の実施形態を説明する。本実施形態の背負い鞄においては、一対の連結シート５０の少なくとも一方にスリット５１が形成されている。スリット５１は、連結シート５０における上端部５０ａから下方に、すなわち底板１３に向かって延びており、開閉可能である。実施形態においては、一対の連結シート５０の両方にスリット５１が形成されており、各スリット５１は、線ファスナ５１ａによって開閉可能に設けられている。また、一対の連結シート５０は、各々、スリット５１より前側（前胴板１２の側）の前側部５２と、スリット５１より後側（背胴板１１の側）の後側部５３とを有している。
【００２５】
以上、図２を参照して説明したように、本実施形態に係る背負い鞄によれば、開閉可能なスリット５１が、一対の連結シート５０の少なくとも一方に形成されている。従って、物品取出口１６を開閉することなく、スリット５１を介して、鍵、定期入れ等の小物を取出すことができ、更に使い勝手を向上させることができる。また、一対の連結シート５０の少なくとも一方にスリット５１を形成することによって、物品取出口１６を更に大きく開くことも可能となり、物品取出口１６を介した収容物の出し入れが容易となり、更に使い勝手を向上させることができる。
【００２６】
次に、図２〜図４を参照して、本考案の更に他の実施形態を説明する。本実施形態の背負い鞄は、筆記具保持部６０を更に備える。筆記具保持部６０は、背胴側蓋板２０の内側面２１に配設されており、万年筆、ボールペン等の筆記具が挿通される挿通部６１を有する。
【００２７】
以上、図２〜図４を参照して説明したように、本実施形態に係る背負い鞄によれば、筆記具保持部６０が、背胴側蓋板２０の内側面２１に配設されており、筆記具が挿通される挿通部６１を有している。従って、万年筆、ボールペン等の筆記具を挿通部６１に挿通するだけで、筆記具を背胴側蓋板２０の内側面２１に保持することができ、メモ等が簡単にでき、更に使い勝手を向上させることができる。
【００２８】
以上、図面（図１〜図４）を参照しながら本考案の実施形態を説明した。但し、本考案は、上記の実施形態に限られるものではなく、その要旨を逸脱しない範囲で種々の態様において実施することが可能である。
【符号の説明】
【００２９】
１０…鞄本体
１１…背胴板
１２…前胴板
１２ｂ…下端部
１３…底板
１４…側板
１５…背負ベルト
１６…物品取出口
２０…背胴側蓋板
２１…内側面
３０…前胴側蓋板
４０…係止機構
５０…連結シート
５０ａ…上端部
５１…スリット
６０…筆記具保持部
６１…挿通部
【図１】
0003222347.tif 000003
【図２】
0003222347.tif 000004
【図３】
0003222347.tif 000005
【図４】
0003222347.tif 000006